【事件の表示】
　特願２００２−３３０２３０「濃度の異なる複数の無彩色インクを搭載した印刷装置」拒絶査定不服審判事件〔平成１６年　６月１０日出願公開、特開２００４−１６０８５９〕について、次のとおり審決する。
【結　論】
　本件審判の請求は、成り立たない。
【理　由】
第１　手続の経緯
　本願は、平成１４年１１月１４日の出願であって、平成１７年１２月２６日付けで通知された拒絶の理由に対して、平成１８年３月１０日付けで手続補正書が提出されたが、同年６月９日付けで拒絶査定がなされ、これに対して、同年７月２０日付けで審判請求がなされるとともに、同年８月１６日付けで手続補正書が提出され、その後、当審の審尋に対する回答書が平成２０年７月４日付けで提出されたものである。
　
第２　平成１８年８月１６日付けの手続補正の却下の決定
　
［補正却下の決定の結論］
　平成１８年８月１６日付けの手続補正（以下、「本件補正」という。）を却下する。
　
［理由］
１．補正後の本願発明
　本件補正には、特許請求の範囲の請求項１を次のように補正しようとする事項が含まれている。
　
（補正前）
　「【請求項１】濃度の異なる２以上の無彩色インクを少なくとも含んだ複数種類のインクを備え、印刷媒体上に該インクによるドットを形成することによって画像を印刷する印刷装置において、
　前記画像を表わす画像データを入力する手段と、
　前記入力した画像データに基づく前記画像の形成時に、前記濃度の異なる２以上の無彩色インクによるドットを形成する無彩色ドット形成手段と、
　前記入力した画像データに基づく前記画像の形成時に、前記無彩色インクを除いた各色インクによるドットを形成する各色ドット形成手段と
　を備えるとともに、
　前記入力した画像データによっては前記印刷媒体上に前記各色ドット形成手段がいずれのドットも形成しない領域であって、ハイライト領域には、前記無彩色ドット形成手段が、前記２以上の無彩色インクのうち、最も濃度が薄いインクたる淡灰色インクによるドットを形成することを特徴とする印刷装置。」
　
（補正後）
　「【請求項１】濃度の異なる２以上の無彩色インクを少なくとも含んだ複数種類のインクを備え、印刷媒体上に該インクによるドットを形成することによって画像を印刷する印刷装置において、
　前記画像を表わす画像データを入力する手段と、
　前記入力した画像データに基づく前記画像の形成時に、前記濃度の異なる２以上の無彩色インクに対応する色を用いて該画像の該色に適合する部分を形成し、該画像に基づき前記濃度の異なる２以上の無彩色インクを用いて前記印刷媒体上にドットを形成する無彩色ドット形成手段と、
　前記入力した画像データに基づく前記画像の形成時に、前記無彩色インクを除いた各色インクに対応する色を用いて該画像の該色に適合する部分を形成し、該画像に基づき前記各色インクを用いて前記印刷媒体上にドットを形成する各色ドット形成手段と
　を備えるとともに、
　前記入力した画像データによっては前記印刷媒体上に前記各色ドット形成手段がいずれのドットも形成しない領域であって、ハイライト領域には、前記無彩色ドット形成手段が、前記画像の形成時に用いる色に対応する前記２以上の無彩色インクのうち、最も濃度が薄いインクたる淡灰色インクによるドットを形成することを特徴とする印刷装置。」
　
　この補正事項は、補正前の「無彩色ドット形成手段」について、「前記濃度の異なる２以上の無彩色インクに対応する色を用いて該画像の該色に適合する部分を形成し、該画像に基づき前記濃度の異なる２以上の無彩色インクを用いて前記印刷媒体上にドットを形成する」旨を付加して、濃度の異なる２以上の無彩色インク（これには淡灰色インクが含まれる）が画像データに基づく画像形成に用いられることが実質的に限定され、また、同じく補正前の「各色ドット形成手段」について、「前記無彩色インクを除いた各色インクに対応する色を用いて該画像の該色に適合する部分を形成し、該画像に基づき前記各色インクを用いて前記印刷媒体上にドットを形成する」旨を付加して限定するものである。
　したがって、本件補正は、平成１８年法律第５５号改正附則第３条第１項によりなお従前の例によるとされる同法による改正前の特許法第１７条の２第４項第２号の特許請求の範囲の減縮を目的としたものに該当する。
　
　そこで、本件補正後の請求項１に記載された発明（以下、「本願補正発明」という。）が特許出願の際独立して特許を受けることができるものであるかについて以下に検討する。
　
２．引用文献の記載事項
（１）刊行物１
　原査定の拒絶の理由に引用された、本願出願前に頒布された文献である、国際公開第０２／０８７８８６号（２００２年１１月７日公開。以下、「引用文献２」という。）には、次の事項が記載されている。なお、下線は当審で付した。
　
（１ａ）「背景技術
　インクジェット記録方法は、インク小滴を飛翔させ、紙等の記録媒体に付着させて印刷を行う印刷方法である。・・・（中略）・・・それに伴い、銀塩写真やオフセット印刷の分野で用いられてきた印画紙やアート紙等に匹敵する高光沢性を有するインクジェット記録媒体が開発されている。・・・（中略）・・・また、記録媒体への顔料の定着性を向上させるために樹脂成分を含有する水系顔料インク組成物が使用されている。
　しかしながら、記録物には、デューティー（ｄｕｔｙ）の高い部分、デューティーの低い部分、あるいは非記録部分が存在する。このため、樹脂成分を含有する顔料インク組成物を用いて記録する場合には、高デューティー部分には多くのインク液滴を吐出させるので、それに伴って吐出される樹脂成分の量も多くなり、樹脂成分付着量が多くなるのに対し、低デューティー部分はインク液滴の吐出量が少なくなるので、樹脂成分の付着量も少なくなる。また、非記録部分にはインク液滴を吐出させないので、樹脂成分も付着されない。すなわち、高デューティー部分は樹脂成分量が多いために高光沢となるのに対し、低デューティー部分は低光沢となり、非記録部分は更に光沢が低くなる。このように、樹脂成分付着量の差異によって光沢感に差異が発生し、光沢ムラとして記録物品質に反映される。こうした光沢ムラは、特に、高精細印刷に多用される高光沢インクジェット記録方法用記録媒体において問題となっている。」（第１頁第１４行〜第２頁第２１行）
　
（１ｂ）「［第１実施形態のインクジェット記録方法］
　本実施形態のインクジェット記録方法においては、記録媒体の記録表面全体において、単位面積当たりの樹脂成分合計量が実質的に均一になるように、樹脂成分含有顔料インク組成物の吐出量と、樹脂成分含有クリアインク組成物の吐出量とを調整する。・・・（中略）・・・
　本実施形態の方法の好ましい態様では、顔料インク組成物に関する最高デューティー部分へのクリアインク組成物の吐出量を最低量（特には、非吐出）とする。また、
顔料インク組成物を吐出しない非記録部分へのクリアインク組成物の吐出量を最高量とし
　
（１ｃ）「本実施形態において用いることのできる
クリアインク組成物は
無彩色インク（例えば、白色インク）又は淡色インク
淡色インクとは、顔料含有量の低いインクである
　
（１ｄ）「本発明のインクジェット記録方法においては、顔料インク組成物とクリアインク組成物とをそれらのドットが重ならないように記録すること、例えば、
顔料インク組成物を吐出してできた印字画像のある部分以外の部分（インク非付着部）に、クリアインク組成物を吐出して印刷する
顔料インク組成物とクリアインク組成物とをそれらのドットが重なるように記録すること、例えば、顔料インク組成物を吐出してできた印字画像のある部分（インク付着部）に、クリアインク組成物を吐出して印刷する
　
（１ｅ）「（インクセット）
　本発明のインクセットは、前述したインクジェット記録方法、
特に第１実施形態のインクジェット記録方法に好適に用いられるもの
複数種の顔料インク組成物の組合せとしては
例えば、イエロー、シアン、マゼンタ、及びブラックの４色の組合せ
それら組合せに、更にクリアインク組成物を組合わせて用いる
　
（１ｆ）「請求の範囲
１．顔料インク組成物と、樹脂成分を含むクリアインク組成物とを吐出して記録媒体に記録するインクジェット記録方法であって、
　記録後の前記記録媒体の記録表面全体における光沢性が実質的に均一になるように、前記顔料インク組成物の吐出量及び／又は前記クリアインク組成物の吐出量を調整することを特徴とするインクジェット記録方法。
　・・・（中略）・・・
１１．前記
クリアインク組成物が
無彩色
１２．前記クリアインク組成物が、淡色である請求の範囲第１項〜第１０項の何れかに記載のインクジェット記録方法。
・・・（中略）・・・
１８．前記顔料インク組成物と前記クリアインク組成物とを、それらのドットが重なるように記録する、請求の範囲第１項〜第１７項の何れかに記載のインクジェット記録方法。」（第５０頁〜第５２頁）
　
（１ｇ）引用文献１には、インクジェット記録方法、インクセットについては詳細に記載されているが、インクジェット記録装置については特に記載がないが、インクジェット記録方法に対応して、当然、「
記録媒体上に顔料インク組成物によるドットを形成することによって画像を記録する、インクジェット記録装置
画像を表す画像データを入力する手段
インク組成物を用いて記録媒体上にドットを形成するドット形成手段
　
　これら記載によれば、引用文献１には、次の発明（以下、「引用文献１記載の発明」という。）が記載されているものと認められる。
　
　「イエロー、シアン、マゼンタ、及びブラックの４色の組合せからなる複数種の顔料インク組成物に加えて、無彩色のクリアインク組成物を備え、記録媒体上に顔料インク組成物によるドットを形成することによって画像を記録する、インクジェット記録装置において、
　画像を表わす画像データを入力する手段と、
　インク組成物を用いて記録媒体上にドットを形成するドット形成手段と
　を備えるとともに、
　顔料インク組成物を吐出してできた印字画像のある部分以外の部分（すなわち、インク非付着部又は非記録部分）に、無彩色のクリアインク組成物を吐出して印刷する、
　インクジェット記録装置。」
　
（２）引用文献２
　また、当審からの審尋において提示した、本願出願前に頒布された文献である、特開２００２−３０７７５５号公報（平成１４年１０月２３日公開。以下、「引用文献２」という。）には、図面とともに次の事項が記載されている。なお、下線は当審で付した。
　
（２ａ）「【０００１】【発明が属する技術分野】本発明は、顔料系インクを用いるプリント技術の改良に関する。」
　
（２ｂ）「【０００４】【発明が解決しようとする課題】顔料系インクを用いたインクジェットプリンタによる印刷物と、銀塩写真又は染料系インクを用いたインクジェットプリンタによる印刷物とを、肉眼で見て比較した場合、銀塩写真や染料系インクによる印刷物は表面全域が一定の光沢をもっているのに対し、顔料系インクを用いた印刷物の表面には、僅かではあるが、光沢ムラが存在する。すなわち、顔料系インクを用いた印刷物では、非常に明るい背景内に非常に暗い物体や影があったり、逆に非常に暗い背景内に非常に明るいハイライトスポットなどがあったりすると、（見る角度や光の当たり具合もよるが、）その非常に暗い物体や影の全体、又は、非常に暗い物体や影の輪郭線のように明度が急変している箇所が、他の領域より僅かにてらてら光って見える場合がある。この僅かな光沢ムラが、見る人に、若干不自然な印象を与える場合がある。
【０００５】従って、本発明の目的は、顔料系インクを用いた印刷物の表面の光沢ムラを低減することにある。」　
　
（２ｃ）「【００２５】図１（Ａ）に示すように、染料系インク１は印刷媒体（例えば紙）２の内部に良好に浸透する。これに対し、図１（Ｂ）に示すように、顔料系インク３は印刷媒体２の内部に浸透し難いため、
極めて暗い色の部分（つまり顔料インク３が非常に多く付着した部分）では、顔料インク３の島が印刷媒体２の表面に出来て印刷媒体表面を厚く覆い印刷媒体表面のテクスチャを完全に隠してしまう
印刷媒体表面のテクスチャが良好に露呈している極めて明るい色の部分の表面２ａは光反射率が一般に低いのに対し、極めて暗い色の部分である顔料インク３の島の表面３ａは、インクの特性から、光の反射率が相対的に高い
【００２６】本発明は、顔料インクを用いた印刷物の表面における光反射率の相違を軽減する、又は、その光反射率の相違を見る人に認識され難くするための幾つか手法を提供する。」
　
（２ｄ）「【００５４】
図６
白（記号「Ｗ」で示す）のインク
顔料系インクジェットプリンタを用いたプリントシステム
【００５５】図６に示すように、例えば
RGBフルカラー画像データのような元の画像データ２０が色変換部２１に入力
RGB表色系の色データを
印刷で用いる
CMYＷ
CMYKW
でもよい
表色系の色データに変換する
Ｃ、Ｍ、Ｙの色成分にＷの色成分を加えて特に明度の高い色彩を表現した色データ
Ｗインクを積極的に使うことで明るさを出す
【００５６】色変換部２１から出力されたCMYＷ表色系の画像データ２２は、ハーフトーニング部２３に入力される。ハーフトーニング部２３は、入力されたCMYＷ表色系の画像データ２２に誤差拡散又はディザなどの処理を施すことで、CMYＷ各色インクのドットを表した例えば２値化されたビットマップ画像データ２４を生成する。ハーフトーニング部２３から出力されたビットマップ画像データ２４は印刷ヘッド２５に転送される。印刷ヘッド２５は、C、M、Y及びＷのインクをそれぞれ用いる４つのサブヘッドのセットをもち、C、M、Y及びＷのインクカートリッジ（インクタンク）のセット２５ＡからC、M、Y及びＷのインクの供給を受ける。
印刷ヘッド２５は、転送されてきたビットマップ画像データ２４に従ってC、M、Y及びＷのインクのドットを印刷媒体の表面に形成していくことで、画像の印刷を行なう
【００５７】この実施形態によれば、
印刷物表面のC、M、Yの有色インクが付着してない領域には、代わりにＷインクが付着する
　ここで、上記の【００５７】の「印刷物表面のC、M、Yの有色インクが付着してない領域には、代わりにＷインクが付着する」という記載は、「CMYＷ」のインクを用いる場合のことである。そして、「CMYKW」のインクを用いる場合は、上記（２ｃ）の記載事項等も参照すると、Ｋ（ブラック）がC、M、Yと同様に取り扱われることは明らかであるから、「
印刷物表面のC、M、Y、Ｋのインクが付着してない領域には、代わりにＷインクが付着する
　
（２ｅ）図６は、次のとおり。　
　
（２ｆ）「【請求項８】 元の画像データから、顔料系の有色インクに対応した成分色を含んだ所定の表色系の画像データを得る手段と、
前記所定の表色系の画像データに基づいて、前記顔料系の有色インクと白色インクとを用いて、
印刷媒体表面の前記有色系インクが付着されない領域に前記白色インクを付着させる
プリントシステム
　
（２ｇ）上記（２ｄ）等の記載から、引用文献２のプリントシステムは、「
Ｃ、Ｍ、Ｙ、Ｋ、Ｗのインクを備え、印刷媒体上に該インクによるドットを形成することで画像を印刷する
前記画像を表わす画像データを入力する手段
Ｃ、Ｍ、Ｙ、Ｋ、Ｗのインクで画像データに基づく画像を形成すべく、インクを用いて印刷媒体上にドットを形成するドット形成手段
　
　これら事項によれば、引用文献２には、次の発明（以下、「引用文献２記載の発明」という。）が記載されているものと認められる。
　
　「Ｃ、Ｍ、Ｙ、Ｋ、Ｗ（白色）のインクを備え、印刷媒体上に該インクによるドットを形成することで画像を印刷する、プリントシステムにおいて、
　前記画像を表わす画像データを入力する手段と、
　Ｃ、Ｍ、Ｙ、Ｋ、Ｗ（白色）のインクで前記画像データに基づく前記画像を形成すべく、インクを用いて印刷媒体上にドットを形成するドット形成手段と
　を備えるとともに、
　印刷媒体表面のＣ、Ｍ、Ｙ、Ｋのインクが付着されない領域に、Ｗ（白色）インクを付着させる、
　プリントシステム。」
　
３．対比・判断
　そこで、本願補正発明と
引用文献２記載の発明
　引用文献２記載の発明の「Ｋ、Ｗ（白色）」のインクは、無彩色のインクであって、濃度としては両極端のものであるから、本願補正発明の「濃度の異なる２以上の無彩色インク」に相当し、
　引用文献２記載の発明の「Ｃ、Ｍ、Ｙ、Ｋ、Ｗ（白色）のインク」「プリントシステム」は、それぞれ、本願補正発明の「濃度の異なる２以上の無彩色インクを少なくとも含んだ複数種類のインク」「印刷装置」に相当する。
　
　また、引用文献２記載の発明の「Ｃ、Ｍ、Ｙ、Ｋ、Ｗ（白色）のインクで前記画像データに基づく前記画像を形成すべく、インクを用いて印刷媒体上にドットを形成するドット形成手段」と、
　本願補正発明の「前記入力した画像データに基づく前記画像の形成時に、前記濃度の異なる２以上の無彩色インクに対応する色を用いて該画像の該色に適合する部分を形成し、該画像に基づき前記濃度の異なる２以上の無彩色インクを用いて前記印刷媒体上にドットを形成する無彩色ドット形成手段」及び「前記入力した画像データに基づく前記画像の形成時に、前記無彩色インクを除いた各色インクに対応する色を用いて該画像の該色に適合する部分を形成し、該画像に基づき前記各色インクを用いて前記印刷媒体上にドットを形成する各色ドット形成手段」とは、
　「前記入力した画像データに基づく前記画像の形成時に、
前記濃度の異なる２以上の無彩色インクを少なくとも含んだ複数種類のインク
前記濃度の異なる２以上の無彩色インクを少なくとも含んだ複数種類のインク
　
　引用文献２記載の発明の「印刷媒体表面のＣ、Ｍ、Ｙ、Ｋのインクが付着されない領域に」と、
　本願補正発明の「前記入力した画像データによっては前記印刷媒体上に前記各色ドット形成手段がいずれのドットも形成しない領域であって、ハイライト領域には」とは、
　「前記入力した画像データによっては前記印刷媒体上に
特定のインク
対応して
　
　さらに、引用文献２記載の発明の「Ｗ（白色）インク」と、本願補正発明の「前記２以上の無彩色インクのうち、最も濃度が薄いインクたる淡灰色インク」とは、「前記２以上の無彩色インクのうち、最も濃度が薄いインク」の点では共通するということができる。
　
　そうすると、両発明の一致点、相違点は次のとおりと認められる。
　
［一致点］
　「濃度の異なる２以上の無彩色インクを少なくとも含んだ複数種類のインクを備え、印刷媒体上に該インクによるドットを形成することによって画像を印刷する印刷装置において、
　前記画像を表わす画像データを入力する手段と、
　前記入力した画像データに基づく前記画像の形成時に、前記濃度の異なる２以上の無彩色インクを少なくとも含んだ複数種類のインクに対応する色を用いて該画像の該色に適合する部分を形成し、該画像に基づき前記濃度の異なる２以上の無彩色インクを少なくとも含んだ複数種類のインクを用いて前記印刷媒体上にドットを形成するドット形成手段と
　を備えるとともに、
　前記入力した画像データによっては前記印刷媒体上に特定のインクでドットを形成しない領域に対応して、前記画像の形成時に用いる色に対応する前記２以上の無彩色インクのうち、最も濃度が薄いインクによるドットを形成する、
　印刷装置。」
　
［相違点１］
　ドット形成手段に関して、
　本願補正発明では、無彩色ドット形成手段、各色ドット形成手段の２つが区別されているのに対し、
　引用文献２記載の発明では、そのような区別は特にない点。
　
［相違点２］
　特定のインクでドットを形成しない領域への対応に関して、
　本願補正発明では、特定のインクが、無彩色インクを除いた各色インク（各色ドット形成手段に対応するインク）であり、さらにハイライト領域において、淡灰色インクによるドットを形成するのに対し、
　引用文献２記載の発明では、特定のインクがＣ、Ｍ、Ｙ、Ｋのインクであり、ハイライト領域との特定がなく、また、Ｗ（白色）インクによるドットを形成する点。
　
　そこで、相違点について検討する。
　
（相違点１について）
　本願補正発明は、ドット形成手段を２つに分けて、無彩色ドット形成手段、各色ドット形成手段と表現したものである。
　引用文献２記載の発明において、本願補正発明のごとく、無彩色ドット形成手段と各色ドット形成手段に分けて表現することは、当業者が適宜なし得る程度のことである。
　
（相違点２について）
　（１）ハイライト領域と特定のインクについて　
　まず、本願補正発明において「前記入力した画像データによっては前記印刷媒体上に前記各色ドット形成手段がいずれのドットも形成しない領域であって、ハイライト領域には」として、２以上の無彩色インクのうち最も濃度が薄いインクによるドットを形成する「領域」を２段階で特定していることの意味について確認する。
　この「ハイライト領域」という文言は、平成１８年３月１０日付けの手続補正により、請求項１に追加されたものであるところ、同日付けの意見書では、「かかる内容は、元の請求項１の記載、図８、図１３の記載によっています。」と説明されている。「ハイライト領域」という文言は、元（出願当初）の請求項１にはないから、図８，図１３の記載を参照することになる。そこで、図８（下記参照）をみると、この図は、無彩色軸を示したものであるが、Ｃ，Ｍ，Ｙのインクが使用されていない領域は、明度の値でいうと、０％〜ｃの領域、及び、ａ〜１００％の領域であり、このうち、ハイライト領域とは、明度の高い領域（明細書【０００９】を参照した）を意味するものと一応考えられるので、ａ〜１００％の領域をもって、出願人は「ハイライト領域」としているものと推察される。図８では、Ｋのインクが使用されているのは、０％〜ｂの領域にとどまり、ａ〜１００％の領域には、Ｃ，Ｍ，Ｙのインクも、Ｋのインクも使用されておらず、したがってこの「ハイライト領域」は、記録媒体の地色部分（インクが塗布されず、地色がそのまま露呈している部分）であるということができる。　
　また、図１３は、無彩色のインクのみが使用されているが、「ハイライト領域」は、やはり、記録媒体の地色部分（Ｋ、ＬＫを使用していない領域）であるということができる。
　このことは、本願の明細書の【０００４】に、従来技術の問題として、「しかし、印刷画像の高画質化がこのように進んで来ると、印刷媒体上にインクが塗布されて某かの色彩を呈している部分と、インクが塗布されておらず印刷媒体の地色がそのまま残された部分とで、光沢感の違いが目立ってしまい、画像を見る者に違和感を与えて画質に悪影響を与える場合があった。こうした問題は、いわゆる光沢紙と呼ばれる専用の印刷用紙を用いた場合に顕著に現れることが多いが、他の印刷媒体を用いて印刷した場合でも、程度の違いこそあれ同様に生じ得る。」と記載され、インクが塗布されない印刷媒体の地色部分に着目していることからも、うかがわれる。
　他方、引用文献２記載の発明では、「刷媒体表面のＣ、Ｍ、Ｙ、Ｋのインクが付着されない領域」は、記録媒体の地色部分であることは明らかである。
　そうすると、「ハイライト領域」の特定の有無の差は、両発明の実質的な相違点ではない。
　また、「特定のインク」の差についても、本願補正発明の「ハイライト領域」が、Ｃ，Ｍ，Ｙのインクも、Ｋのインク（すなわち、無彩色インクのうち、最も濃度が薄いインクを除くインク）も使用されない領域であることを勘案すると、実質的な相違点ではない。
　
　（２）２以上の無彩色インクのうち最も濃度が薄いインクについて
　引用文献１には、「クリアインク組成物」について、（１ｃ）「本実施形態において用いることのできる
クリアインク組成物は
無彩色インク（例えば、白色インク）又は淡色インク
淡色インクとは、顔料含有量の低いインクである
　したがって、引用文献１の上記（１ｃ）の記載に接した当業者であれば、濃度が高くない灰色、すなわち、淡灰色のインクを、当然に連想するものであるから、淡灰色のクリアインク組成物は、引用文献１に記載されているに等しいものである。
　そして、引用文献１の「クリアインク組成物」は、引用文献２の「Ｗ（白色）インク」と同様の目的で使用されているから、
　引用文献２記載の発明において、「Ｗ（白色）インク」に代えて、引用文献１記載の「クリアインク組成物」である「淡灰色のインク」を採用し、本願補正発明のごとくなすことは、当業者が容易に想到し得ることである。
　
（効果について）
　本願補正発明は、本願明細書の【０００４】【００１０】【００５４】等の記載からすると、光沢紙等においては、インクが塗布されておらず印刷媒体の地色がそのまま残された部分（明度の高い領域と想定される）は、インクが塗布された部分に比較して、光沢感が大きく異なるので、淡灰色インクを用いて若干明度を低下させることで、光沢感の差を改善するものであるといえる。
　この点は、引用文献１，２に記載された技術事項と必ずしも符合するものでない。
　しかし、上記の検討のとおり、本願明細書で示される課題による思考過程を経ることなく、引用文献２記載の発明に、引用文献１に記載された技術を組み合わせて、本願補正発明に容易に到達することができることが、十分に論理付けられるものである。
　したがって、本願補正発明の構成により、インクが塗布された部分と比較して、光沢紙等の明度の高い印刷媒体のときには、一定の効果があるとしても、本件の容易想到性の判断を変えるほどのものではない。
　
（まとめ）
　以上のことから、本願補正発明は、引用文献１，２に記載された発明に基づいて当業者が容易に発明をすることができたものであるから、特許法第２９条第２項の規定により特許出願の際独立して特許を受けることができない。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１．本願の請求項１に係る発明
　平成１８年８月１６日付けの手続補正は上記のとおり却下されたので、本願の請求項１〜８に係る発明は、平成１８年３月１０日付けの手続補正書により補正された特許請求の範囲の請求項１〜８に記載された事項により特定されるとおりのものと認められるところ、その請求項１に係る発明（以下、「本願発明１」という。）は次のとおりである。
　
　「【請求項１】濃度の異なる２以上の無彩色インクを少なくとも含んだ複数種類のインクを備え、印刷媒体上に該インクによるドットを形成することによって画像を印刷する印刷装置において、
　前記画像を表わす画像データを入力する手段と、
　前記入力した画像データに基づく前記画像の形成時に、前記濃度の異なる２以上の無彩色インクによるドットを形成する無彩色ドット形成手段と、
　前記入力した画像データに基づく前記画像の形成時に、前記無彩色インクを除いた各色インクによるドットを形成する各色ドット形成手段と
　を備えるとともに、
　前記入力した画像データによっては前記印刷媒体上に前記各色ドット形成手段がいずれのドットも形成しない領域であって、ハイライト領域には、前記無彩色ドット形成手段が、前記２以上の無彩色インクのうち、最も濃度が薄いインクたる淡灰色インクによるドットを形成することを特徴とする印刷装置。」
　
２．引用文献の記載事項
　これに対して、原査定の拒絶の理由に引用された引用文献１（国際公開第０２／０８７８８６号）の記載事項は、上記「第２　２．（１）引用文献１」に記載したとおりである。
　
３．対比・判断
　そこで、本願発明１と引用文献１記載の発明とを対比する。
　
　引用文献１記載の発明の「ブラック」の顔料インク及び「無彩色のクリアインク組成物」は、本願発明１の「濃度の異なる２以上の無彩色インク」に相当し、
　引用文献１記載の発明の「イエロー、シアン、マゼンタ、及びブラックの４色の組合せからなる複数種の顔料インク組成物に加えて、無彩色のクリアインク組成物を備え」は、本願発明１の「濃度の異なる２以上の無彩色インクを少なくとも含んだ複数種類のインクを備え」に相当する。
　
　また、引用文献１記載の発明の「無彩色のクリアインク組成物」（これは、「ブラック」の顔料インクよりも濃度が薄いものであることは明らかである）と、本願発明１の「前記２以上の無彩色インクのうち、最も濃度が薄いインクたる淡灰色インク」とは、「前記２以上の無彩色インクのうち、最も濃度が薄いインク」の点で共通するといえる。
　
　引用文献１記載の発明の「インクジェット記録装置」は、本願発明１の「印刷装置」に相当する。
　
　引用文献１記載の発明の「インク組成物を用いて記録媒体上にドットを形成するドット形成手段」と、
　本願発明１の「前記入力した画像データに基づく前記画像の形成時に、前記濃度の異なる２以上の無彩色インクによるドットを形成する無彩色ドット形成手段」及び「前記入力した画像データに基づく前記画像の形成時に、前記無彩色インクを除いた各色インクによるドットを形成する各色ドット形成手段と」とは、
　「前記入力した画像データに基づく前記画像の形成時に、濃度の異なる２以上の無彩色インクを少なくとも含んだ複数種類のインクによるドットを形成するドット形成手段」の点で共通する。
　なお、この認定に関して、本願発明１では、「無彩色インクによるドット形成」は、「前記入力した画像データに基づく前記画像の形成
時
時
　
　引用文献１記載の発明の「顔料インク組成物を吐出してできた印字画像のある部分以外の部分（すなわち、インク非付着部又は非記録部分）」と、
　本願発明１の「前記入力した画像データによっては前記印刷媒体上に前記各色ドット形成手段がいずれのドットも形成しない領域であって、ハイライト領域には」とは、
　「前記入力した画像データによっては前記印刷媒体上に
特定のインク
対応して
　
　そうすると、両発明の一致点、相違点は以下のとおりと認められる。
　
［一致点］
　「濃度の異なる２以上の無彩色インクを少なくとも含んだ複数種類のインクを備え、印刷媒体上に該インクによるドットを形成することによって画像を印刷する印刷装置において、
　前記画像を表わす画像データを入力する手段と、
　前記入力した画像データに基づく前記画像の形成時に、濃度の異なる２以上の無彩色インクを少なくとも含んだ複数種類のインクによるドットを形成するドット形成手段と
　を備えるとともに、
　前記入力した画像データによっては前記印刷媒体上に特定のインクでドットを形成しない領域に対応して、前記２以上の無彩色インクのうち、最も濃度が薄いインクによるドットを形成する、
　印刷装置。」
　
［相違点Ａ］
　ドット形成手段に関して、
　本願発明１では、無彩色ドット形成手段、各色ドット形成手段の２つが区別されているのに対し、
　引用文献１記載の発明では、そのような区別は特にない点。
　
［相違点Ｂ］
　特定のインクでドットを形成しない領域への対応に関して、
　本願発明１では、特定のインクが、無彩色インクを除いた各色インク（各色ドット形成手段に対応するインク）であり、さらにハイライト領域において、淡灰色インクによるドットを形成するのに対し、
　引用文献１記載の発明では、特定のインクが、イエロー、シアン、マゼンタ、ブラックの顔料インク組成物であり、上記領域が、これら顔料インク組成物を吐出してできた印字画像のある部分以外の部分（すなわち、インク非付着部又は非記録部分）であり、ハイライト領域との特定がなく、また、無彩色のクリアインク組成物によるドットを形成する点。
　
　そこで、相違点について検討する。
　
（相違点Ａについて）
　本願発明１は、ドット形成手段を２つに分けて、無彩色ドット形成手段、各色ドット形成手段と表現したものである。
　引用文献１記載の発明において、本願発明１のごとく、無彩色ドット形成手段と各色ドット形成手段に分けて表現することは、当業者が適宜なし得る程度のことである。
　
（相違点Ｂについて）
（１）ハイライト領域と特定のインクについて
　本願発明１のハイライト領域の意味については、上記「第２　３．（相違点２について）（１）」で検討したのと同様である。
　そして、引用文献１記載の発明は、顔料インク組成物（イエロー、シアン、マゼンタ、及びブラック）を吐出してできた印字画像のある部分以外の部分（すなわち、インク非付着部又は非記録部分）は、「用紙の地色部分」（本願発明１でいう「ハイライト領域」）であるということができる。
　したがって、「ハイライト領域」の特定の有無の差は、実質的な相違点ではない。
　また、「特定のインク」の差についても、上記「第２　３．（相違点２について）（１）」で検討したとおり、本願発明１の「ハイライト領域」が、Ｃ，Ｍ，Ｙのインクも、Ｋのインク（すなわち、無彩色インクのうち、最も濃度が薄いインクを除くインク）も使用されない領域であることを勘案すると、実質的な相違点ではない。
　
（２）２以上の無彩色インクのうち最も濃度が薄いインクについて
　上記「第２　３．（相違点２について）（２）」で検討したとおり、
　引用文献１の上記（１ｃ）の記載に接した当業者であれば、濃度が高くない灰色、すなわち、淡灰色のインクを、当然に連想するものであるから、淡灰色のクリアインク組成物は、引用文献１に記載されているに等しいものである。
　そうすると、引用文献１記載の発明において、「無彩色のクリアインク組成物」として「淡灰色のインク」を採用し、本願発明１のごとくなすことは、当業者が容易に想到し得ることである。
　
　なお、上記のとおり、本願発明１では、「無彩色インクによるドット形成」は、「前記入力した画像データに基づく前記画像の形成
時
　しかし、仮に本願発明１でそのような限定がなされていたとしても、引用文献１の上記（１ｄ）には、「顔料インク組成物とクリアインク組成物とをそれらのドットが重なるように記録すること、例えば、顔料インク組成物を吐出してできた印字画像のある部分（インク付着部）に、クリアインク組成物を吐出して印刷する」との記載があるから、顔料インク組成物を吐出してできた印字画像のある部分（インク付着部）については、「無彩色のクリアインク組成物」を積極的に活用して、「無彩色のクリアインク組成物」を用いて「入力した画像データに基づく前記画像の形成を行う」態様とすることは、当業者であれば特に困難なく着想し得ることである。
　
（まとめ）
　したがって、本願発明１は、引用文献１に記載された発明に基づいて当業者が容易に発明をすることができたものである。
　
４．むすび
　以上のとおり、本願の請求項１に係る発明は、特許法第２９条第２項の規定により特許を受けることができないものであるので、他の請求項について検討するまでもなく、本願は拒絶すべきものである。
　よって、結論のとおり審決する。